(57)【特許請求の範囲】
【請求項１】
光ディスクに対して、情報の読み書きを実行するディスクドライブ部と、
ハードディスクに対して、情報の読み書きを実行するハードディスクドライブ部と、
前記ディスクドライブ部及びハードディスクドライブ部に、記録データを供給することができ、また、再生された信号を受け取ることができるデータプロセッサ部と、
入力されたアナログビデオ信号、入力されたアナログオーディオ信号を、デジタル化するビデオ用及びオーディオ用のアナログデジタルコンバータと、ビデオエンコーダと、オーディオエンコーダとを有するエンコーダ部と、
エンコーダ部の出力を、パックを複数含むビデオオブジェクトユニット列構造の所定のフォーマットに変換するフォーマッタと、
前記光ディスク及びハードディスクに記録されたデータを再生するために、前記ビデオオブジェクトユニットを指定するエントリー情報を有する管理情報を作成して、前記データプロセッサ部を介して記録中の前記光ディスク又はハードディスクに記録する手段と、
前記光ディスク又はハードディスクに情報を記録している途中で、定期的に、それまでに作成した管理情報を、前記データプロセッサ部を介して前記ハードディスクに確保された停電対策ファイルに保存する手段と、
操作入力により録画停止要求があったとき、または録画が正常終了したときには、バッファメモリに構築している管理情報を、記録中の光ディスク又はハードディスクの管理ファイルに記録して、前記停電対策ファイル内をクリアする手段と、
電源が投入されたときに、停電対策ファイル内がクリアされているか否かをチェックし、クリアされていないときは、前記停電対策ファイル内の管理情報を再現し、前記光ディスク又はハードディスクの管理ファイル内に記録し、前記停電対策ファイル内をクリアする手段と、
停電の復帰後の初期の期間に記録される映像情報には、停電があったことを示す表示データを多重して記録する手段と、
を具備したことを特徴とする映像記録再生装置。
【請求項２】
前記表示データは、停電復帰表示テキストメモリから読み出されるデータであることを特徴とする請求項１記載の映像記録再生装置。
【請求項３】
同期検出が得られない場合に「停電」であると判定した場合と、電源がオフしたときに「停電」であると判定した場合とで、停電復帰表示テキストの表示内容が異なることを特徴とする請求項２記載の映像記録再生装置。
【請求項４】
光ディスクに対して、情報の読み書きを実行するディスクドライブ部と、ハードディスクに対して、情報の読み書きを実行するハードディスクドライブ部と、前記ディスクドライブ部及びハードディスクドライブ部に、記録データを供給することができ、また、再生された信号を受け取ることができるデータプロセッサ部と、入力されたアナログビデオ信号、入力されたアナログオーディオ信号を、デジタル化するビデオ用及びオーディオ用のアナログデジタルコンバータと、ビデオエンコーダと、オーディオエンコーダとを有するエンコーダ部と、エンコーダ部の出力を、パックを複数含むビデオオブジェクトユニット列構造の所定のフォーマットに変換するフォーマッタと、前記光ディスク及びハードディスクに記録されたデータを再生するために、前記ビデオオブジェクトユニットを指定するエントリー情報を有する管理情報を作成して、前記データプロセッサ部を介して記録中の前記光ディスク又はハードディスクに記録する手段とを有する装置の映像記録再生方法であって、
前記光ディスク又はハードディスクに情報を記録している途中で、定期的に、それまでに作成した管理情報を、前記データプロセッサ部を介して前記ハードディスクに確保された停電対策ファイルに保存し、
操作入力により録画停止要求があったとき、または録画が正常終了したときには、バッファメモリに構築している管理情報を、記録中の光ディスク又はハードディスクの管理ファイルに記録して、前記停電対策ファイル内をクリアし、
電源が投入されたときに、停電対策ファイル内がクリアされているか否かをチェックし、クリアされていないときは、前記停電対策ファイル内の管理情報を再現し、前記光ディスク又はハードディスクの管理ファイル内に記録し、前記停電対策ファイル内をクリアするようにし、
停電の復帰後の初期の期間に記録される映像情報には、停電があったことを示す表示データを多重して記録する
ことを特徴とする映像記録再生方法。
【発明の詳細な説明】
【０００１】
【発明の属する技術分野】
この発明は、映像記録再生方法及び装置に関する。また記録メディアとしてデジタルバーサタイルディスク（ＤＶＤ）を用いたＤＶＤ規格に基き情報の記録再生を行なう装置であり、特に録画中に停電が生じたときでも、安定した録画を行なうことができるところに特徴を備えるものである。
【０００２】
【従来の技術】
現在、映像記録再生装置としては、ビデオテープレコーダ（ＶＴＲ）がもっとも普及している。しかし近年、デジタルバーサタイルディスク（ＤＶＤ）の技術が進歩し、ＤＶＤ−ＲＡＭ或はＤＶＤ−ＲＷに、映像情報を録画する装置が開発されてきた。
【０００３】
ＤＶＤ−ＲＡＭ或はＤＶＤ−ＲＷに録画を行う装置は、ＤＶＤ規格の１つであるビデオレコーディング（Ｖｉｄｅｏ  Ｒｅｃｏｒｄｉｎｇ）規格（以下ＶＲ規格）に準拠したフォーマットに入力データを変換し、記録処理を行っている。
【０００４】
ＶＲ規格による記録処理は、必要な部分のみ簡単に述べると、以下の特徴を備えている。
【０００５】
（１）記録メディア上に、ユニバーサルディスクフォーマット（ＵＤＦ）Ｖｅｒ．２．０準拠のファイルシステムが構築されている。
【０００６】
（２）映像信号（動画）はＭＰＥＧ２形式で圧縮され、”／ＤＶＤ＿ＲＴＡＶ／ＶＲ＿ＭＯＶＩＥ．ＶＲＯ”というファイルに保存される。
【０００７】
（３）先の映像信号を検索するための管理情報は、”／ＤＶＤ＿ＲＴＡＶ／ＶＲ＿ＭＡＮＧＲ．ＩＦＯ”というファイルに保存される。
【０００８】
従って、ＤＶＤ−ＲＡＭ，ＤＶＤ−ＲＷに記録する映像記録再生装置においては、上記３点を満たしたものでなくてはならない。
【０００９】
（２）で述べた映像信号を作成するため、このような映像記録再生装置ではＭＰＥＧ２  Ｅｎｃｏｄｅｒを搭載しており、このＥｎｃｏｄｅｒが生成したＭＰＥＧ２  ＳｔｒｅａｍをＶＲ＿ＭＯＶＩＥ．ＶＲＯファイルに保存している。また、１つの記録メディア上にこのファイルは１つしか存在しないため、複数回記録を行っても、ＭＰＥＧデータはすべて同じファイルに追記されることになる。このようなファイルの中から、どの位置にどの番組が録画されているかを検索するために必要な情報が、（３）で述べた管理情報ファイルに記録されている。
【００１０】
管理情報ファイル（ＶＲ＿ＭＡＮＧＲ．ＩＦＯ）に記述されている情報は、この記録メディア内にいくつの番組が記録されているか、またそれぞれの番組はＶＲ＿ＭＯＶＩＥ．ＶＲＯファイル内のどの位置から記録されているか等を示している。また、１つの番組内の検索などを容易にするため、６００フィールド毎の位置が番組先頭からどの位置に記録されているか、１グループオブピクチャー（１ＧＯＰ）毎のサイズと再生時間などの情報（以下ＴＭＡＰ情報と呼ぶ）も保存されている。このＴＭＡＰ情報は、ＭＰＥＧ２  Ｅｎｃｏｄｅｒがエンコード処理を行う際に生成され、映像記録再生装置ではメモリに一時的に保持し、記録終了時にＶＲ＿ＭＡＮＧＲ．ＩＦＯファイルに書き込んでいる。
【００１１】
【発明が解決しようとする課題】
しかしながら、上記した従来技術においては、タイムマップ（TMAP）情報をメモリに一時的に保持しており、もし録画中に停電などが発生すると、このTMAP情報が失われてしまうことになる。この情報が失われると、ビデオレコーディング（VR）規格としては成立しなくなるため、停電までの録画情報は破棄せざるを得なくなる。これを防ぐため、SRAMなどにこれらの情報を保管しておき、停電に備えることが考えられる。しかし、SRAMという高価な部品を備える必要があるため、コストダウンの障壁となっていた。
【００１２】
そこで本発明は、録画中に停電があっても、安定した録画処理を実現し、装置の信頼性を向上できるようにした映像記録装置及び方法を提供することを目的とする。
【００１３】
【課題を解決するための手段】
この発明は、光ディスクに対して、情報の読み書きを実行するディスクドライブ部と、ハードディスクに対して、情報の読み書きを実行するハードディスクドライブ部と、前記ディスクドライブ部及びハードディスクドライブ部に、記録データを供給することができ、また、再生された信号を受け取ることができるデータプロセッサ部と、入力されたアナログビデオ信号、入力されたアナログオーディオ信号を、デジタル化するビデオ用及びオーディオ用のアナログデジタルコンバータと、ビデオエンコーダと、オーディオエンコーダとを有するエンコーダ部と、エンコーダ部の出力を、パックを複数含むビデオオブジェクトユニット列構造の所定のフォーマットに変換するフォーマッタと、前記光ディスク及びハードディスクに記録されたデータを再生するために、前記ビデオオブジェクトユニットを指定するエントリー情報を有する管理情報を作成して、前記データプロセッサ部を介して記録中の前記光ディスク又はハードディスクに記録する手段と、前記光ディスク又はハードディスクに情報を記録している途中で、定期的に、それまでに作成した管理情報を、前記データプロセッサ部を介して前記ハードディスクに確保された停電対策ファイルに保存する手段と、操作入力により録画停止要求があったとき、または録画が正常終了したときには、バッファメモリに構築している管理情報を、記録中の光ディスク又はハードディスクの管理ファイルに記録して、前記停電対策ファイル内をクリアする手段と、電源が投入されたときに、停電対策ファイル内がクリアされているか否かをチェックし、クリアされていないときは、前記停電対策ファイル内の管理情報を再現し、前記光ディスク又はハードディスクの管理ファイル内に記録し、前記停電対策ファイル内をクリアする手段と、停電の復帰後の初期の期間に記録される映像情報には、停電があったことを示す表示データを多重して記録する手段とを有する。
【００１４】
【発明の実施形態】
以下、図面を参照しながら本実施の形態について説明する。
【００１５】
図１は、この発明を適用した記録再生装置の一実施例の形態を示す図である。図１の各ブロックを大きく分けると、左側には記録部の主なブロックを示し、右側には再生部の主なブロックを示している。
【００１６】
この記録再生装置は、ビデオファイルを構築できる情報記憶媒体である第１のメディアとしての光ディスク１００１を回転駆動し、情報の読み書きを実行するディスクドライブ部１００２を有する。また第２のメディアとしてのハードディスクを駆動するハードディスクドライブ部２００１を有する。データプロセッサ部１００３は、ディスクドライブ部１００２及びハードディスクドライブ部２００１に、記録データを供給することができ、また、再生された信号を受け取ることができる。
【００１７】
ディスクドライブ部１００２は、光ディスク１００１に対する回転制御系、レーザ駆動系、光学系などを有する。データプロセッサ部１００３は、記録或いは再生単位のデータを取り扱うもので、バッファ回路、変調・復調回路、エラー訂正部などを含む。
【００１８】
また記録再生装置は、録画側を構成するエンコーダ部５０と、再生側を構成するデコーダ部６０と、装置本体の動作を制御するマイクロコンピュータブロック３０を主たる構成要素としている。
【００１９】
エンコーダ部５０は、入力されたアナログビデオ信号、入力されたアナログオーディオ信号を、デジタル化するビデオ用及びオーディオ用のアナログデジタルコンバータと、ビデオエンコーダと、オーディオエンコーダとを有する。エンコーダ部５０の出力は、バッファメモリを含むフォーマッタ５１にて、所定のＤＶＤ−ＶＲのフォーマットに変換され記憶される。
【００２０】
エンコーダ部５０には、ＡＶ入力部４１からの外部アナログビデオ信号と外部アナログオーディオ信号、或いはＴＶチューナ４２からのアナログビデオ信号とアナログオーディオ信号が入力される。ビデオエンコーダでは、デジタルビデオ信号は、ＭＰＥＧ２またはＭＰＥＧ１規格に基づいた可変ビットレートで圧縮されたデジタルビデオ信号に変換される。デジタルオーディオ信号は、ＭＰＥＧまたはＡＣ−３規格に基づいた固定ビットレートで圧縮されたデジタルオーディオ信号、またはリニアＰＣＭのデジタルオーディオ信号に変換される。
【００２１】
エンコードされたデジタルビデオ信号、デジタルオーディオ信号は、フォーマッタ５１においてパック化され、ビデオパック、オーディオパックとなり、さらにこれらが集合されて、ＤＶＤ−ＶＲ規格（例えばＤＶＤ−ＲＡＭ，ＤＶＤ−ＲＷ等の規格）で規定されたフォーマットに変換される。ここで、本装置は、フォーマッタ５１でフォーマット化された情報（ビデオ、オーディオなどのパック）及び作成された管理情報を、データプロセッサ１００３を介してハードディスクドライブ部２００１（或いはディスクドライブ部１００２）に供給し、ハードディスク（或いは光ディスク１００１）に記録することができる。またハードディスク（或いは光ディスク１００１）に記録された情報を、データプロセッサ部１００３、ディスクドライブ部１００２を介して光ディスク１００１（或いはハードディスク）に記録することもできる。これは、ハードディスク及び光ディスク１００１に記録されている情報のデータフォーマットが同じであることによる。
【００２２】
マクロコンピュータブロック３０は、ＭＰＵ（マイクロプロセシングユニット）、またはＣＰＵ（セントラルプロセシングユニット）と、制御プログラム等が書きこまれたＲＯＭと、プログラム実行に必要なワークエリアを提供するためのＲＡＭとを含んでいる。マイクロコンピュータブロック３０のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定等を実行する。またマイクロコンピュータブロック３０は、システム全体を制御するため必要な情報処理部を有するもので、ワークＲＡＭ、ディレクトリ検知部、ＶＭＧ（全体のビデオ管理情報）情報作成部などを備える。
【００２３】
ＭＰＵの実行結果のうち、ユーザに通知すべき内容は、ＤＶＤビデオレコーダの表示部４３に表示されるか、またはモニタディスプレイにＯＳＤ（オンスクリーンディスプレイ）表示される。また、マイクロコンピュータブロック３０には、この装置を操作するための操作信号を与えるキー入力部４４を有する。なお、マイクロコンピュータブロック３０が、ディスクドライブ部１００２、データプロセッサ部１００３、エンコーダ部５０及び／またはデコーダ部６０等を制御するタイミングは、システムタイムクロック（ＳＴＣ）３８からの時間データに基づいて、実行することができる。録画や再生の動作は通常はＳＴＣ３８からのタイムクロックに同期して実行されるが、それ以外の処理はＳＴＣ３８とは独立したタイミングで実行されてもよい。
【００２４】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離されたオーディオデータ（オーディオパックの内容）をデコードするＡデコーダを有する。デコーダ部６０の出力ビデオ信号は、ビデオミキシング部７１に入力される。ビデオミキシング部７１では、テキストデータの合成が行われる。またビデオミキシング部７１には、ＴＶチューナ４１やＡ／Ｖ入力部４２からの信号を直接取り込むラインも接続されている。ビデオミキシング部７１には、バッファとして用いるフレームメモリ７２が接続されている。ビデオミキシング部７１の出力がデジタル出力の場合は、インタフェース（Ｉ／Ｆ）７３を介して外部へ出力され、アナログ出力の場合は、デジタルアナログ変換器７４を介して外部へ出力される。デコーダ部６０の出力オーディオ信号は、セレクタ７６を介してデジタルアナログ変換機７７でアナログ変換され外部に出力される。セレクタ７６は、マイクロコンピュータブロック３０からのセレクト信号により制御される。これにより、セレクタ７６は、ＴＶチューナ４１やＡ／Ｖ入力部４２からのデジタル信号を直接モニタするとき、エンコーダ部５０をスルーした信号を直接選択することも可能である。
【００２５】
なお、エンコーダ部５０のフォーマッタでは、録画中、タイムマップ（ＴＭＡＰ）情報を作成し、定期的にマイクロコンピュータブロック３０のＭＰＵへ送る（ＧＯＰ先頭割り込み時などの情報）。ＴＭＡＰ情報としてはＶＯＢＵのパック数、ＶＯＢＵ先頭からのＩピクチャのエンドアドレス、ＶＯＢＵの再生時間が記述されたＶＯＢＵエントリ情報（ＶＯＢＵ＿ＥＮＴ）と、６００フィールド（ｆｉｅｌｄ）毎の録画開始からのパック数、６００ｆｉｅｌｄ毎の位置に対応するＶＯＢＵ＿ＥＮＴ番号、６００ｆｉｅｌｄ目の位置が対応するＶＯＢＵ＿ＥＮＴ先頭から何ｆｉｅｌｄずれているかの情報が記述されたタイムエントリ情報（ＴＭ＿ＥＮＴ）がエンコーダ部５０から出力される。
【００２６】
データプロセッサ部１００３は、エンコーダ部５０のフォーマッタからＶＯＢＵ単位のデータを受け取り、ディスクドライブ部１００２に供給している。またマイクロコンピュータブロック３０のＭＰＵは、記録したデータを再生するのに必要な管理情報を作成し、データ記録終了のコマンドを認識すると、作成した管理情報をデータ処理部１００３に送る。これにより、管理情報がディスクに記録される。従ってエンコードが行われているとき、エンコーダ部５０からマイクロコンピュータブロック３０のＭＰＵは、ＴＭＡＰ情報を受け取り、ワークメモリに保管する。
【００２７】
ここで、ＤＶＤ−ＶＲ規格の管理情報と、コンテンツであるビデオオブジェクトとの関係を簡単に説明する。
【００２８】
図２において、まずビデオオブジェクト（ＶＯＢ）について説明する。ＶＯＢはファイルとしてはＶＲ＿ＭＯＶＩＥ．ＶＲＯファイルに記録される。ビデオファイルは階層構造であり、１つのファイルは１つ又は複数のＶＯＢ（ビデオオブジェクト）で構成され、１つのＶＯＢは、１つ又は複数のＶＯＢＵ（ビデオオブジェクトユニット）で構成され、１つのＶＯＢＵは、複数パックから構成される。複数のパックとしては、ＲＤＩパック、Ｖ（ビデオ）パック、Ａ（オーディオ）パック等が存在する。副映像パック（ＳＰパック）が存在しても良い。
【００２９】
ＲＤＩパックは、リアルタイムデータ情報パックと称される。このパックには、これが属するＶＯＢＵの最初のフィールドが再生される開始時間を示す情報、当該ＶＯＢＵの記録時を示す情報、製造者情報（ＭＮＦＩ）等を含む。また、ディスプレイ制御情報（ＤＣＩ）及びコピーコントロール情報（ＣＣＩ）を含む。ディスプレイ制御情報は、アスペクト比情報、サブタイトルモード情報、フィルムカメラモード情報を示す。コピーコントロール情報（ＣＣＩ）は、コピー許可情報（０，０）、またはコピー禁止情報（１，１）のいずれかを含む。
【００３０】
Ｖパックは、ビデオデータがＭＰＥＧ２方式で圧縮されたもので、パックヘッダ、パケットヘッダ、ビデオデータ部で構成される。Ａパックは、オーディオデータが、例えばリニアＰＣＭ或いはＭＰＥＧ、或いはＡＣ３などの方式で処理されたものであり、パックヘッダ、パケットヘッダ、オーディオデータ部で構成される。
【００３１】
管理情報は、ビデオマネージャ（ＶＭＧ）と称され、その中には、再生すべき対象となるビデオオブジェクト（ＶＯＢ）に関する情報である、ビデオオブジェクト情報（ＶＯＢＩ）が定義される。ビデオオブジェクト情報（ＶＯＢＩ）の中で、特に動画に関するものをムービービデオオブジェクト情報（Ｍ＿ＶＯＢＩ）と呼ぶ。Ｍ＿ＶＯＢＩ内には、フォーマッタ５１にて生成された、ＴＭＡＰ情報が記述されている。このＴＭＡＰは、Ｍ＿ＶＯＢＩに対応するＶＯＢを構成しているＶＯＢＵを指定する情報（ＶＯＢＵ＿ＥＮＴ情報）と、ＶＯＢ内のシークに用いるため、６００ｆｉｅｌｄ毎に生成されるインデックス情報（ＴＭ＿ＥＮＴ情報）から成り立っている。
【００３２】
前述の通り、マイクロコンピュータブロック３０のＭＰＵは、ユーザからの録画停止要求を受け取ると、ワークメモリに保管していたＴＭＡＰ情報を用いて管理情報を作成し、ディスクに保管する。
【００３３】
このため、もし録画停止前に停電等によって記録再生装置に電源が供給されなくなると、ディスク上の管理情報が更新される前に、ワークメモリ内のＴＭＡＰ情報が失われてしまうことになる。
【００３４】
本発明では、このＴＭＡＰ情報をワークメモリに保管すると同時に、ハードディスクのあらかじめ用意した領域に保存することにより、停電が発生しても、ＴＭＡＰ情報をハードディスクから読み出し管理情報の復元を実現する。
【００３５】
図３は、本発明の装置の、ハードディスク内部のデータ構造を示している。ハードディスクの先頭部分には、ファイルシステムのためのＵＤＦ領域が記述されている。本記録再生装置では、ハードディスクフォーマット時に、ＵＤＦ領域のすぐ次に、ＤＶＤ−ＲＡＭ停電対策ファイル用領域と、ＨＤＤ停電対策ファイル用領域を確保した後、ＶＲフォーマットの管理情報ファイル（ＶＲ＿ＭＡＮＧＲ．ＩＦＯ）領域、ビデオオブジェクトファイル（ＶＲ＿ＭＯＶＩＥ．ＶＲＯ）領域を確保する。各ドライブ用停電対策ファイル領域をあらかじめハードディスク上に確保することにより、ハードディスク内の常に同じアドレスに停電対策用データが保管されることになる。なお、ＤＶＤ−ＲＡＭ用とハードディスク用の停電対策ファイルが、どちらもハードディスク上に確保されている理由は、ＤＶＤ−ＲＡＭの場合は性能上の限界から、ＭＰＥＧストリーム記録中に停電対策ファイルへ同時に書きこむことが不可能であるためである。一方、ハードディスクの場合は、アクセススピードが高速であるため、ハードディスクに対してＭＰＥＧストリームを書きこんでいる最中に、停電対策ファイルへの書き込みを実行することができる。
【００３６】
図４は、本発明の装置が録画のために使用されたときの動作をフローチャートで示している。この図ではＤＶＤ−ＲＡＭ（光ディスク１００１）に対する録画について示しているが、ハードディスクに対する録画動作も、同様なフローチャートで示すことができる。ＤＶＤ−ＲＡＭに対する録画が開始されるとエンコーダ部５０でエンコードされたビデオ情報、オーディオ情報は、フォーマッタ５１でフォーマットされ、データプロセッサ部１００３、ディスクドライブ１００２を介して記録が行われる（ステップＡ１，Ａ２，Ａ３）。また、ＤＶＤ−ＶＲ規格に基づくＴＭＡＰ情報がエンコーダ部５０からＭＰＵに渡され、これをバッファメモリ５２に一時的に格納する（ステップＡ４）。ここで、録画開始後或いは前回ＴＭＡＰ情報をハードディスク内の停電対策ファイルに書き込んでから１分以上経過していたら、バッファメモリ５２に保管しているＴＭＡＰ情報を、ハードディスクの停電対策ファイルに書き込む（ステップＡ５，Ａ６）。
【００３７】
ユーザから録画停止要求があったら、バッファメモリ５１のＴＭＡＰ情報等を含む管理情報を作成し、ハードディスクのＶＲ＿ＭＡＮＧＲ．ＩＦＯファイルに書きこみ、停電対策ファイルの内容をクリアしてから、録画を終了する（ステップＡ７，Ａ８，Ａ９，Ａ１０，Ａ１１）。
【００３８】
図５は、ハードディスクに保存される停電対策ファイルの内容を図示したものである。停電対策ファイルは、あらかじめハードディスクのフォーマット時に固定サイズの領域が確保されている。本記録再生装置は、録画中に例えば１分毎に、図５に示すように決められたデータを決められた位置に保存する。停電対策ファイルの先頭部分には、現在録画中のＭ＿ＶＯＢＩに関する情報が記録される。具体的には、録画開始時刻、ＭＰＥＧ圧縮形式やアスペクト比といったビデオ属性、オーディオコーディングモードやオーディオチャネル数といったオーディオ属性、現在までのＴＭ＿ＥＮＴ、ＶＯＢＵ＿ＥＮＴの個数等である。停電対策ファイルの次の部分には、その時点でバッファメモリ５１に蓄えられているＴＭ＿ＥＮＴとＶＯＢＵ＿ＥＮＴ情報を、それぞれ記録する。
【００３９】
もし録画中に停電が発生したとしても、停電対策ファイルはハードディスク上の固定の位置に常に存在するため、このファイルを検索することによって、停電前に録画していた番組のＭ＿ＶＯＢＩ情報、ＴＭ＿ＥＮＴ情報、ＶＯＢＵ＿ＥＮＴ情報を、停電直前の状態にまで復元することが可能である。また、録画が正常に終了したときは、図４のフローチャートのステップＡ１０で示すとおり、停電対策ファイルの内容をクリアする。これにより、このファイルの内容がクリアされていない場合には、録画中に停電があったことを検出することもできる。
【００４０】
なおＤＶＤを利用したリアルタイム記録再生機において、注意すべき点は、データをアクセスする場合、そのアクセス（シーク）している間に、とぎれないで再生を続けるために、最低限連続するセクタが必要になってくる。この単位をＣＤＡ（コンティギュアス・データ・エリア）という。つまりシームレス再生を実現するために予め取り決められているデータサイズである。
【００４１】
このＣＤＡは、ＥＣＣ（エラー訂正コード）ブロック単位となっている方が有利である。そのため、ＣＤＡサイズは１６セクタの倍数にし、ファイルシステムでは、このＣＤＡ単位で記録を行っている。
【００４２】
図６は、録画中に停電が発生した後、再度記録再生装置に電源が投入されたときの動作をフローチャートで示している。本記録再生装置は、電源が投入されると、ディスクから管理情報ファイルを読み込み、既に録画されている情報をローディングする（ステップＢ１，Ｂ２）。録画中に停電が発生した場合は、新たな管理情報ファイルの書き込みは行われていないため、最後の録画が行われる前までの状態がロードされることになる。次にハードディスク内の停電対策ファイルを読み込み、このファイルがクリアされているか否かを調べる（ステップＢ３，Ｂ４）。もしこのファイルがクリアされていない場合は、録画中に停電が発生したことを示している。このときは、停電対策ファイルに記述されている情報を元に、Ｍ＿ＶＯＢＩを作成し、ＴＭ＿ＥＮＴ、ＶＯＢＵ＿ＥＮＴといったＴＭＡＰ情報を復元し、管理情報を再度作成しなおして、ＶＲ＿ＭＡＮＧＲ．ＩＦＯファイルに保存する。その後、停電対策ファイルは不要となるので、内容をクリアする（ステップＢ６，Ｂ７，Ｂ８，Ｂ９）。これにより、録画中に停電が発生した場合でも、停電以前までに録画していた情報を復元することが可能になる。
【００４３】
図１に戻り説明する。上記のフローチャートで示した動作は、マイクロコンピュータブロック３０でソフトウエアにより機能する停電対策処理部が実行する。ここで停電検出は、録画モードであるにもかかわらず装置自身の電源がオフした場合である。そのために、電源検出部３４からの情報が、マイクロコンピュータブロック３０に供給されている。
【００４４】
第１或は第２の記録メディア（ハードディスク、ＲＡＭ−ディスク）に対する映像は、停電期間は記録されない。したがって、記録された映像を再生した場合、停電前の映像と停電後の映像とが繋がることになる。この場合、ユーザは、映像内容がジャンプするので、装置が誤動作したと勘違いする場合がある。そこで、このシステムではユーザの誤認を無くすために、停電復帰後の初期の期間に記録される映像情報には、停電或は入力の一時中断があったことを示す表示データを多重して記録すことも可能である。この表示データは、例えば停電復帰表示テキストメモリ３５からのデータが読み出され使用される。同期検出が得られない場合に「停電」であると判定した場合と、電源がオフしたときに「停電」であると判定した場合とで、停電復帰表示テキストの表示内容は異なるようにしてもよい。
【００４５】
【発明の効果】
以上説明したようにこの発明によれば、録画中に停電があっても、安定した録画処理を実現し、装置の信頼性を向上できる。
【図面の簡単な説明】
【図１】この発明が適用された録画再生装置の全体ブロックを示す図。
【図２】ＤＶＤ−ＶＲ規格における管理情報とビデオオブジェクトの管理単位及びデータを説明するために示した図。
【図３】本発明に係る録画再生装置のハードディスク内のファイル構造を説明するために示した図。
【図４】本発明に係る録画再生装置の録画時の動作例を説明するために示したフローチャート。
【図５】本発明に係る装置の停電対策ファイル内部の情報を説明するために示した図。
【図６】本発明に係る装置が停電後に再度電源復帰したときの動作例を説明するために示したフローチャート。
【符号の説明】
３０…マイクロコンピュータブロック、４１…Ａ／Ｖ入力部、４２…ＴＶチューナ、４３…表示部、４４…キー入力部、５０…エンコーダ部、６０…デコーダ部、７１…ビデオミクサー、７２…フレームメモリ、７３…インターフェース、７４、７７…デジタルアナログ変換器、７６…セレクタ、１００１…光ディスク、１００２…ディスクドライブ部、１００３…データプロセッサ部、２００１…ハードディスク装置。
【図１】
0003631454.tif 000002
【図２】
0003631454.tif 000003
【図３】
0003631454.tif 000004
【図４】
0003631454.tif 000005
【図５】
0003631454.tif 000006
【図６】
0003631454.tif 000007